(57)【要約】      （修正有）【課題】環形の係合溝の外側に装飾リングが係合されて固定され、装飾リングはネジ穴を被覆することで、ネジ穴が確実に露出せず、すっかりと美しい外観を有するリハビリバイクを提供する。【解決手段】バイク本体は左バイクシェル１１と右バイクシェル１２を含み、前記左バイクシェルと右バイクシェルの外部にそれぞれ環形の係合溝９１が設けられ、前記環形の係合溝内に複数のネジ穴９２が設けられ、前記ネジ穴内にネジが貫通して左バイクシェルと右バイクシェルを固定的に接続し、前記環形の係合溝の外側に装飾リング９０が係合されて固定され、装飾リングはネジ穴を被覆する。【選択図】図２
0003233027.tif 000002
【実用新案登録請求の範囲】
【請求項１】
バイク本体と台座を含み、前記バイク本体と台座はネジで固定的に接続され、前記バイク本体の両側に回転アームが設けられ、各回転アームの外側に接続軸を介してペダルが固定的に接続され、
前記バイク本体は左バイクシェルと右バイクシェルを含み、前記左バイクシェルと右バイクシェルの外部にそれぞれ環形の係合溝が設けられ、前記環形の係合溝内に複数のネジ穴が設けられ、前記ネジ穴内にネジが貫通して左バイクシェルと右バイクシェルを固定的に接続し、
前記環形の係合溝の外側に装飾リングが係合されて固定され、装飾リングはネジ穴を被覆する、ことを特徴とするすっきりと美しい外観を有するリハビリバイク。
【請求項２】
前記バイク本体の片側に収容溝が設けられ、リコモンが収容溝内に磁気的に固定される、ことを特徴とする請求項１に記載のすっきりと美しい外観を有するリハビリバイク。
【請求項３】
前記バイク本体の頂部に革製のハンドルが設けられる、ことを特徴とする請求項１に記載のすっきりと美しい外観を有するリハビリバイク。
【請求項４】
前記環形の係合溝内に複数の装飾係合口が設けられ、前記装飾リングの内側に複数の装飾係合ブロックが設けられ、装飾係合ブロックは装飾係合口内に係合されて固定される、ことを特徴とする請求項１に記載のすっきりと美しい外観を有するリハビリバイク。
【請求項５】
前記装飾係合ブロックの数は装飾係合口の数と同じであり、装飾係合ブロックの位置は装飾係合口の位置と１対１に対応する、ことを特徴とする請求項４に記載のすっきりと美しい外観を有するリハビリバイク。
【請求項６】
前記環形の係合溝内に位置決め穴が設けられ、前記装飾リングの内側に位置決めポストが設けられ、位置決めポストの位置は位置決め穴の位置と対応し、位置決めポストは位置決め穴内に挿入される、ことを特徴とする請求項１に記載のすっきりと美しい外観を有するリハビリバイク。
【請求項７】
前記リコモンの内側の周辺に第１磁気部が設けられ、前記収容溝の内側に第２磁気部が設けられ、第１磁気部は第２磁気部に磁気的に固定される、ことを特徴とする請求項２に記載のすっきりと美しい外観を有するリハビリバイク。
【請求項８】
前記左バイクシェルの内側の周辺に複数の係合部品が設けられ、前記右バイクシェルの内側の周辺に複数の係合溝が設けられ、係合溝の数は係合部品の数と同じであり、係合溝の位置は係合部品の位置と１対１に対応し、係合部品は係合溝内に係合されて固定される、ことを特徴とする請求項１に記載のすっきりと美しい外観を有するリハビリバイク。
【請求項９】
前記左バイクシェルの内側に複数の左スタッドが設けられ、前記右バイクシェルの内側に複数の右スタッドが設けられ、左スタッドの数は右スタッドの数と同じであり、左スタッドの位置は右スタッドの位置と１対１に対応し、前記右スタッドはネジ穴と連通する、ことを特徴とする請求項１に記載のすっきりと美しい外観を有するリハビリバイク。
【請求項１０】
前記バイク本体の内部に回路基板、モータと電池がさらに設けられ、前記モータ、電池はそれぞれ回路基板に接続され、前記収容溝内にディスプレイがさらに設けられ、前記ディスプレイは回路基板に電気的に接続される、ことを特徴とする請求項２に記載のすっきりと美しい外観を有するリハビリバイク。
【考案の詳細な説明】
【技術分野】
【０００１】
本考案は、リハビリバイクの技術分野に関し、特にすっきりと美しい外観を有するリハビリバイクに関する。
【背景技術】
【０００２】
現在、中高年者は手足の不便に悩まされており、患者が完全に自分の世話をすることができず、生活に大きな不便をもたらしている。手足の柔軟性がない患者の手足を鍛えることができれば、手足はある程度徐々に改善され得る。したがって、手足を効果的に運動させることができるリハビリバイクが市場に出回っている。
【０００３】
従来技術のリハビリバイクは、一般に、より多くの固定ネジが露出しており、バイクの全体的な外観に悪影響を与えている。
【考案の概要】
【０００４】
上記の問題を克服するために、本考案は、上記の問題を効果的に解決することができるすっきりと美しい外観を有するリハビリバイクを提供する。
上記の技術的問題を解決するために本考案が提供する技術的解決策は、バイク本体と台座を含み、前記バイク本体と台座はネジで固定的に接続された、すっきりと美しい外観を有するリハビリバイクを提供することであり、前記バイク本体の両側に回転アームが設けられ、各回転アームの外側に接続軸を介してペダルが固定的に接続され、前記バイク本体は左バイクシェルと右バイクシェルを含み、前記左バイクシェルと右バイクシェルの外部にそれぞれ環形の係合溝が設けられ、前記環形の係合溝内に複数のネジ穴が設けられ、前記ネジ穴内にネジが貫通して左バイクシェルと右バイクシェルを固定的に接続し、前記環形の係合溝の外側に装飾リングが係合されて固定され、装飾リングはネジ穴を被覆する。
【０００５】
好ましくは、前記バイク本体の片側に収容溝が設けられ、リコモンは収容溝内に磁気的に固定される。
【０００６】
好ましくは、前記バイク本体の頂部に革製のハンドルが固定される。
【０００７】
好ましくは、前記環形の係合溝内に複数の装飾係合口が設けられ、前記装飾リングの内側に複数の装飾係合ブロックが設けられ、装飾係合ブロックは装飾係合口内に係合されて固定される。
【０００８】
好ましくは、前記装飾係合ブロックの数は装飾係合口の数と同じであり、装飾係合ブロックの位置は装飾係合口の位置と１対１に対応する。
【０００９】
好ましくは、前記環形の係合溝内に位置決め穴が設けられ、前記装飾リングの内側に位置決めポストが設けられ、位置決めポストの位置は位置決め穴の位置と対応し、位置決めポストは位置決め穴内に挿入される。
【００１０】
好ましくは、前記リコモンの内側の周辺に第１磁気部が設けられ、前記収容溝の内側に第２磁気部が設けられ、第１磁気部は第２磁気部に磁気的に固定される。
【００１１】
好ましくは、前記左バイクシェルの内側の周辺に複数の係合部品が設けられ、前記右バイクシェルの内側の周辺に複数の係合溝が設けられ、係合溝の数は係合部品の数と同じであり、係合溝位置は係合部品の位置と１対１に対応し、係合部品は係合溝内に係合されて固定される。
【００１２】
好ましくは、前記左バイクシェルの内側に複数の左スタッドが設けられ、前記右バイクシェルの内側に複数の右スタッドが設けられ、左スタッドの数は右スタッドの数と同じであり、左スタッドの位置は右スタッドの位置と１対１に対応し、前記右スタッドはネジ穴と連通する。
【００１３】
好ましくは、前記バイク本体の内部に回路基板、モータと電池がさらに設けられ、前記モータ、電池はそれぞれ回路基板に接続され、前記収容溝内にディスプレイがさらに設けられ、前記ディスプレイは回路基板に電気的に接続される。
【００１４】
従来技術と比較すると、本考案のすっきりと美しい外観を有するリハビリバイクは、環形の係合溝の外側に装飾リングが係合されて固定され、装飾リングはネジ穴を被覆することで、ネジ穴が確実に露出せず、すっかりと美しい外観を有するバイク本体表面を提供し、リコモンは収容溝内に磁気的に固定され、リコモンが収容溝内に磁気的に固定されるとバイク本体と完全に一体化され、バイク全体の外観が向上し、バイク本体の頂部に革製のハンドルが固定され、より高級で軽量になる。
【図面の簡単な説明】
【００１５】
【図１】本考案のすっきりと美しい外観を有するリハビリバイクの全体構造図である。
【図２】本考案のすっきりと美しい外観を有するリハビリバイクの第１分解構造図である。
【図３】本考案のすっきりと美しい外観を有するリハビリバイクの第２分解構造図である。
【図４】本考案のすっきりと美しい外観を有するリハビリバイクの第３分解構造図である。
【図５】本考案のすっきりと美しい外観を有するリハビリバイクのリコモンの第１斜視図である。
【図６】本考案のすっきりと美しい外観を有するリハビリバイクのリコモンの第２斜視図である。
【考案を実施するための形態】
【００１６】
本考案の目的、技術的解決策、および利点をより明確にするために、以下では、添付の図面および実施例を参照して、本考案をさらに詳細に説明する。本明細書に記載の特定の実施例は、本考案を説明するためにのみ使用され、本考案を限定するものではないことを理解されたい。
【００１７】
本考案の実施例におけるすべての方向指示（上、下、左、右、前、後など）は、絶対位置ではなく、図面上の相対位置を特定することに限定されることに留意されたい。
【００１８】
また、本考案では、「第１」、「第２」等の説明は説明目的でのみ使用されており、それらの相対的な重要性を示したり暗示したり、示された技術的特徴の数を暗に示したりするものとは理解できない。したがって、「第１」および「第２」で定義された機能には、明示的または暗黙的に機能の少なくとも１つが含まれる場合がある。本考案の説明には、「複数」とは、特に明記しない限り、少なくとも２つ、例えば２つ、３つなどを意味する。
【００１９】
図１〜図６を参照すると、本考案のすっきりと美しい外観を有するリハビリバイクは、バイク本体１０と台座３０を含み、前記バイク本体１０と台座３０はネジで固定的に接続される。前記バイク本体１０の両側に回転アーム４０が設けられ、各回転アーム４０の外側に接続軸を介してペダル２０が固定的に接続され、ユーザはペダル２０を足で踏むことでバイクに乗ることができる。前記バイク本体１０の片側にリコモン６０が磁気的に固定され、リコモン６０はバイクを遠隔で制御するために使用される。
【００２０】
前記バイク本体１０は左バイクシェル１１と右バイクシェル１２を含み、前記左バイクシェル１１と右バイクシェル１２の外部にそれぞれ環形の係合溝９１が設けられ、前記環形の係合溝９１内に複数のネジ穴９２が設けられ、前記ネジ穴９２内にネジが貫通して左バイクシェル１１と右バイクシェル１２を固定的に接続する。前記環形の係合溝９１の外側に装飾リング９０が係合されて固定され、装飾リング９０はネジ穴９２を被覆することで、ネジ穴９２が確実に露出せず、すっきりと美しい外観を有するバイク本体１０の表面を提供する。
【００２１】
前記バイク本体１０の片側に収容溝６１が設けられ、前記リコモン６０は収容溝６１内に磁気的に固定され、リコモン６０は収容溝６１内に磁気的に固定されるとバイク本体１０と完全に一体化され、バイク本体１０の外観が向上する。
【００２２】
前記バイク本体１０の頂部に革製のハンドル７０が固定され、より高級で軽量になる。
【００２３】
前記バイク本体１０の内部に回路基板８１、モータ８２と電池５０がさらに設けられ、前記モータ８２、電池５０はそれぞれ回路基板８１に接続される。前記回転アーム４０はモータ８２のモータシャフトに接続される。前記収容溝６１内にディスプレイ６５がさらに設けられ、前記ディスプレイ６５は回路基板８１に電気的に接続されて表示のために使用される。前記リコモン６０は収容溝６１に磁気的に固定されると前記ディスプレイ６５を完全に被覆する。
【００２４】
具体的に、前記左バイクシェル１１の内側の周辺に複数の係合部品１１１が設けられ、前記右バイクシェル１２の内側の周辺に複数の係合溝１２１が設けられ、係合溝１２１の数は係合部品１１１の数と同じであり、係合溝１２１の位置は係合部品１１１の位置と１対１に対応し、係合部品１１１は係合溝１２１内に係合されて固定されて左バイクシェル１１と右バイクシェル１２の初期位置決めおよび固定を実現する。前記左バイクシェル１１の内側に複数の左スタッド１１２が設けられ、前記右バイクシェル１２の内側に複数の右スタッド１２２が設けられ、左スタッド１１２の数は右スタッド１２２の数と同じであり、左スタッド１１２の位置は右スタッド１２２の位置と１対１に対応し、前記右スタッド１２２はネジ穴９２と連通し、ネジはネジ穴９２から右スタッド１２２を貫通してから左スタッド１１２を貫通することで、左バイクシェル１１と右バイクシェル１２を固定する。
【００２５】
前記環形の係合溝９１内に複数の装飾係合口９３が設けられ、前記装飾リング９０の内側に複数の装飾係合ブロック９５が設けられ、装飾係合ブロック９５の数は装飾係合口９３の数と同じであり、装飾係合ブロック９５の位置は装飾係合口９３の位置と１対１に対応し、装飾係合ブロック９５は装飾係合口９３内に係合されて固定されて装飾リング９０と環形の係合溝９１の固定および接続を実現し、着脱しやすい。前記環形の係合溝９１内に位置決め穴９４が設けられ、前記装飾リング９０の内側に位置決めポスト９６が設けられ、位置決めポスト９６の位置は位置決め穴９４の位置と対応し、位置決めポスト９６は位置決め穴９４内に挿入されて装飾リング９０と環形の係合溝９１の初期位置決めおよび接続を実現する。
【００２６】
前記リコモン６０の内側の周辺に第１磁気部６３が設けられ、前記収容溝６１の内側に第２磁気部６２が設けられ、第１磁気部６３の位置は第２磁気部６２の位置と対応し、第１磁気部６３は第２磁気部６２に磁気的に固定される。前記リコモン６０の内側の中部に、遠隔で操作するために操作領域６４が設けられる。前記リコモン６０の外側に円弧状の面６６が設けられ、リコモン６０が収容溝６１に磁気的に固定されるとバイク本体１０と完全に一体化され、全体的な外観が一層向上する。
【００２７】
前記バイク本体１０の頂部に２つのハンドル固定溝７２が設けられ、ハンドル固定溝７２内にハンドル固定バックル７１が設けられ、ハンドル固定バックル７１によりハンドル７０がバイク本体１０に固定される。
【００２８】
従来技術と比較すると、本考案のすっきりと美しい外観を有するリハビリバイクは、環形の係合溝９１の外側に装飾リング９０が係合されて固定され、装飾リング９０はネジ穴９２を被覆することで、ネジ穴９２が確実に露出せず、すっきりと美しい外観を有するバイク本体１０の表面を提供し、リコモン６０は収容溝６１内に磁気的に固定され、リコモン６０は収容溝６１内に磁気的に固定されるとバイク本体１０と完全に一体化され、バイク本体１０全体の外観が向上し、バイク本体１０の頂部に革製のハンドル７０が固定され、より高級で軽量になる。
【００２９】
以上、本考案の好ましい実施例を説明したが、本実用新案登録請求の範囲を限定するものではなく、本考案の思想を逸脱することなくなされた任意の修正、同等置換および改善は、すべて本実用新案登録請求の保護範囲に含まれるべきである。
【図１】
0003233027.tif 000003
【図２】
0003233027.tif 000004
【図３】
0003233027.tif 000005
【図４】
0003233027.tif 000006
【図５】
0003233027.tif 000007
【図６】
0003233027.tif 000008